(57)【要約】      （修正有）【課題】缶リブの外径が異なる飲料用缶にそれぞれ、確実に嵌合できる景品収納ケースを提供する。【解決手段】飲料用缶に被冠され、内部に景品を収納しうる景品収納部１１を有し、上記景品収納部の下端部には上記飲料用缶の上端部に係合しうる係合部を有する景品収納用ケースであって、上記係合部は、小径の第一係合部１２と大径の第二係合部１３とにより構成されている。上記第一の係合部１２は、上記景品収納部１１の内側面部に設けられた内方へ突出する凸部により形成されていると共に、上記第二の係合部１３は、上記景品収納部１１と一体であって、より大径に形成された膨出被冠部１４と、上記膨出被冠部１４の内側面部に形成され内方へ突出する凸部により構成されている。上記凸部は、周方向に沿って同一円周上に複数形成されている。【選択図】図１
0003190988.tif 000002
【実用新案登録請求の範囲】
【請求項１】
飲料用缶に被冠され、内部に景品を収納しうる景品収納部を有し、上記景品収納部の下端部には上記飲料用缶の上端部に係合しうる係合部を有する景品収納用ケースであって、上記係合部は、小径の第一係合部と大径の第二係合部とにより構成されていることを特徴とする景品収納ケース。
【請求項２】
上記第一の係合部は、上記景品収納部の下端部内方に形成されていると共に、上記第二の係合部は、上記第一の係合部の下方に形成されていることを特徴とする請求項１記載の景品収納ケース。
【請求項３】
上記第一の係合部は、上記景品収納部の内側面部に設けられ内方へ突出する凸部により形成されていると共に、上記第二の係合部は、上記景品収納部と一体であって、より大径に形成された膨出被冠部と、上記膨出被冠部の内側面部に形成され内方へ突出する凸部により構成されていることを特徴とする請求項２記載の景品収納ケース。
【請求項４】
上記凸部は、周方向に沿って同一円周上に複数形成され、上記飲料缶の上面部周縁に設けられた円周状リブに外方から係合しうるリブ部により形成されていることを特徴とする請求項３記載の景品収納ケース。
【請求項５】
全体円筒状に形成されていることを特徴とする請求項１記載の景品収納ケース。
【考案の詳細な説明】
【技術分野】
【０００１】
本考案は、景品収納ケースに係り、特に、その内部に景品を収納して、飲料缶の上端に着脱可能に被せるキャップ状の景品収納ケースに関するものである。
【背景技術】
【０００２】
従来より、ケース本体縁部の端面に、缶リブに係合する係合溝を設けたものが提案され、缶リブの径の異なる飲料用缶にそれぞれ対応できる景品収納ケースも特許文献１により既に提案されている。
【０００３】
しかしながら、特許文献１に記載の景品収納ケースでは、飲料用缶に装着する際、複数の嵌合リブの下面が飲料用缶の缶リブに押し付けられて、スリップしながら進み、嵌合リブ先端が上記缶リブを乗り越え、窪み部に嵌合される構成になっている。そのため、上記缶リブの外径が予想以上に大きい場合には、上記嵌合リブ先端が上記缶リブを乗り越えられず、上記嵌合リブが上記窪み部に嵌合できない、という不具合があった。
【特許文献１】実用新案登録第３１５３５９８号
【考案の開示】
【考案が解決しようとする課題】
【０００４】
そこで、本願考案は、このような従来の要請に基づくものであってその課題は、缶リブの外径が異なる飲料用缶にそれぞれ、確実に嵌合できる景品収納ケースを提供することにある。
【課題を解決するための手段】
【０００５】
上記課題を解決するために、請求項１に記載の考案にあっては、飲料用缶に被冠され、内部に景品を収納しうる景品収納部を有し、上記景品収納部の下端部には上記飲料用缶の上端部に係合しうる係合部を有する景品収納用ケースであって、上記係合部は、小径の第一係合部と大径の第二係合部とにより構成されていることを特徴とする。
【０００６】
従って、缶リブの外径が小さい飲料缶は第一係合部において、缶リブの外径が大きい飲料缶は第二係合部において嵌合できる。
【０００７】
請求項２に記載の考案にあっては、上記第一の係合部は、上記景品収納部の下端部内方に形成されていると共に、上記第二の係合部は、上記第一の係合部の下方に形成されていることを特徴とする。
【０００８】
従って、大径の第二係合部が、小径の第一係合部の下方に形成されることにより、缶リブの外径が大きい飲料缶は第二係合部で嵌合できる。
【０００９】
請求項３に記載の考案にあっては、上記第一の係合部は、上記景品収納部の内側面部に設けられ内方へ突出する凸部により形成されていると共に、上記第二の係合部は、上記景品収納部と一体であって、より大径に形成された膨出被冠部と、上記膨出被冠部の内側面部に形成され内方へ突出する凸部により構成されていることを特徴とする。
【００１０】
従って、凸部を缶リブ下方の窪みに嵌めることができる。また、第二係合部が、景品収納部と一体であって大径に形成された膨出被冠部の内面部に形成されることにより、缶リブの外径が大きい飲料缶は第二係合部で嵌合できる。
【００１１】
請求項４に記載の考案にあっては、上記凸部は、周方向に沿って同一円周上に複数形成され、上記飲料缶の上面部周縁に設けられた円周状リブに外方から係合しうるリブ部により形成されていることを特徴とする。
【００１２】
従って、凸部が周方向に沿って同一円周上に複数形成され、飲料缶の上面部周縁に設けられた円周状リブに外方から係合しうるリブ部により形成されることにより、しっかりと飲料缶に嵌合できる。
【００１３】
請求項５に記載の考案にあっては、全体円筒状に形成されていることを特徴とする。
【００１４】
従って、全体円筒状に形成されることにより、景品を収納するスペースを確保できる。
【考案の効果】
【００１５】
請求項１に記載の景品収納ケースにあっては、缶リブの外径が小さい飲料缶は第一係合部において、缶リブの外径が大きい飲料缶は第二係合部において嵌合できるので、缶リブの外径が大小様々の飲料缶に対応できる。
【００１６】
請求項２及び請求項３に記載の景品収納ケースにあっては、缶リブの外径が大きい飲料缶は第二係合部で嵌合できるので、缶リブの外径が大きい飲料缶を嵌合できない事態を回避できる。
【００１７】
請求項４に記載の景品収納ケースにあっては、凸部が周方向に沿って同一円周上に複数形成され、飲料缶の上面部周縁に設けられた円周状リブに外方から係合しうるリブ部により形成されることにより、しっかりと飲料缶に嵌合できるので、景品収納ケースが運搬中に飲料缶から外れてしまうことはない。
【００１８】
請求項５に記載の景品収納ケースにあっては、全体円筒状に形成されることにより、景品を収納するスペースを確保できるので、様々な形態の景品を収納できる。
【図面の簡単な説明】
【００１９】
【図１】本考案に係る景品収納ケースの一実施の形態を示す斜視図である。
【図２】本考案に係る景品収納ケースの一実施の形態を示す底面図である。
【図３】本考案の一実施の形態に係る景品収納ケースを飲料缶に装着した状態を示し、第二係合部で飲料缶に嵌合させた状態を示す斜視図である。
【図４】本考案に係る景品収納ケースの一実施の形態を示し、第一係合部で嵌合している状態を示す、景品収納ケースを装着した飲料缶の図３のIV−IV線断面図である。
【図５】本考案に係る景品収納ケースの一実施の形態を示し、第二係合部で嵌合している状態を示す、景品収納ケースを装着した飲料缶の図３のIV−IV線相当断面図である。
【考案を実施するための最良の形態】
【００２０】
以下、本考案を実施の形態に基づき、図面を参照して詳細に説明する。なお、本考案に係る景品収納ケースは、以下の実施例に限定されるものではなく、本考案の要旨を逸脱しない範囲内において種々変更を加え得ることは勿論である。
【００２１】
図１に示すように、本実施の形態に係る景品収納ケース１０は、内部に景品を収納しうる景品収納部１１を有し、上記景品収納部１１の下端部に小径の第一係合部１２と大径の第二係合部１３を有している。
【００２２】
上記第一の係合部１２は、上記景品収納部１１の下端部内方に形成されると共に、上記第二の係合部１３は、上記第一の係合部１２の下方に形成されている。
【００２３】
図２に示すように、上記第一の係合部１２は、上記景品収納部１０の内側面部に設けられた内方へ突出する凸部により形成されていると共に、上記第二の係合部１３は、上記景品収納部１１と一体であって、より大径に形成された膨出被冠部１４と、上記膨出被冠部１４の内側面部に形成され内方へ突出する凸部により構成されている。上記凸部は、周方向に沿って同一円周上に複数形成されている。
【００２４】
図３に示すように、上記凸部は、飲料缶３１の上面部周縁に設けられた円周状リブ３２に外方から係合しうるリブ部３３により形成されている。
【００２５】
図１及び図３に示すように、景品収納ケース１０は全体円筒状に形成されている。
【００２６】
以下、本実施の形態に係る景品収納ケース１０の作用について説明する。
図４に示すように、景品収納ケース１０を装着する際、膨出被冠部１４の内側面部に形成されている第二係合部１３は、円周状リブ３２の外径が小さい飲料缶４１に接触することはない。景品収納部１０の下端部において、第一係合部１２が、上記円周状リブ３２の外径が小さい飲料缶４１の円周状リブ３２下方に有する窪み４２に嵌る。
【００２７】
図５に示すように、景品収納ケース１０を装着する際、缶の外径が大きい飲料缶５１の場合には、第二係合部１３を利用して景品収納ケース１０を円周状リブ３２の外径が大きい飲料缶５１に固定する。上記膨出被冠部１４の内側面部に形成されている第二係合部１３が、上記円周状リブ３２の外径が大きい飲料缶５１の円周状リブ３２下方に有する窪み４２に嵌る。この場合、第一係合部１２は、第二係合部１３よりも上方に形成されていることから、第二係合部１３の窪み４２への嵌合の障害となることはない。
【００２８】
その結果、円周状リブ３２の外径が小さい飲料缶４１にも、円周状リブ３２の外径が大きい飲料缶５１にも対応できる。
【産業上の利用可能性】
【００２９】
本考案は、飲料缶に装着する景品収納ケースに適用可能であり、産業上の利用可能性を有している。
【符号の説明】
【００３０】
１０  景品収納ケース
１１  景品収納部
１２  第一係合部
１３  第二係合部
１４  膨出被冠部
３１  飲料缶
３２  円周状リブ
３３  リブ部
４１  円周状リブの外径が小さい飲料缶
４２  窪み
５１  円周状リブの外径が大きい飲料缶
【図１】
0003190988.tif 000003
【図２】
0003190988.tif 000004
【図３】
0003190988.tif 000005
【図４】
0003190988.tif 000006
【図５】
0003190988.tif 000007